(57)【特許請求の範囲】
【請求項１】
所定のテンポで往復運動を行う振り子部と、
前記振り子部の前記往復運動を感知し、前記振り子部の往復運動周期に同期した同期信号を出力するセンサと、
少なくとも１つの拍子音と、少なくとも１つのテンポ音とを記憶する複数の波形メモリと、
前記拍子音及び前記テンポ音のうち、選択する拍子音及びテンポ音を決定し切り替える音色切り替え部と、
前記複数の波形メモリに記憶された拍子音の波形信号とテンポ音の波形信号とをミキシングして混合音の波形信号を出力するミキシング部と、
前記ミキシング部がミックスした波形信号をアナログ信号に変換して出力するＤ／Ａ変換回路と、
前記センサの出力した前記同期信号と同期させて波形信号を再生し、音として出力する出力部と、
制御部と、
を有し、
前記制御部の制御の下、電源がオンになった直後には、前記Ｄ／Ａ変換回路の前記出力部への出力を遮断させ、電源がオンになってから前記センサが前記振り子部の往復運動を初めて感知したとき、前記Ｄ／Ａ変換回路の前記出力部への出力の遮断を解除させるノイズ除去部
を更に有する
電子式メトロノーム。
【請求項２】
前記制御部は、時間を計測する計時タイマを更に有し、
前記計時タイマは任意のテンポ音の出力からの時間を測定し、当該時間が所定の時間以上になった場合に、前記ノイズ除去部は、前記制御部の制御の下、前記Ｄ／Ａ変換回路の前記出力部への出力を再び遮断させる
請求項１に記載の電子式メトロノーム。
【発明の詳細な説明】
【技術分野】
【０００１】
本発明は、振り子の周期をセンサによって読み取り音を発生する電子式メトロノームに関する。
【背景技術】
【０００２】
メトロノームには、機械式のものと電子式のものがある。機械式のメトロノームは、振り子の振動に合わせて特定のテンポの音を発生する。機械式メトロノームでは。メトロノームを構成する各部品を精度よく製造し組み合わせる必要があり、格別の製造技術が必要であり、製造上や保守時の困難があった。
この機械式メトロノームの製造上の困難を解消するものとして、電子式メトロノームがある。電子式メトロノームはクォーツ等の振動子の振動から同期信号を取り出し、同期信号に合わせて波形メモリに記憶された波形の電子音を再生する。
【発明の開示】
【発明が解決しようとする課題】
【０００３】
しかし、上述した電子メトロノームでは、メモリに記憶された波形パルスが電気的に増幅・再生されるので、特に電源ＯＮ時やＯＦＦ時等にノイズが再生されやすい、という不利益があった。
本発明は、上述した不利益を解消して、ノイズの発生を防止できる電子式メトロノームを提供することを目的とする。
【課題を解決するための手段】
【０００４】
上述した目的を達成するために、第１の観点の発明の電子式メトロノームは、所定のテンポで往復運動を行う振り子部と、前記振り子部の前記往復運動を感知し、前記振り子部の往復運動周期に同期した同期信号を出力するセンサと、少なくとも１つの拍子音と、少なくとも１つのテンポ音とを記憶する複数の波形メモリと、前記拍子音及び前記テンポ音のうち、選択する拍子音及びテンポ音を決定し切り替える音色切り替え部と、前記複数の波形メモリに記憶された拍子音の波形信号とテンポ音の波形信号とをミキシングして混合音の波形信号を出力するミキシング部と、前記ミキシング部がミックスした波形信号をアナログ信号に変換して出力するＤ／Ａ変換回路と、前記センサの出力した前記同期信号と同期させて波形信号を再生し、音として出力する出力部と、制御部と、を有し、前記制御部の制御の下、電源がオンになった直後には、前記Ｄ／Ａ変換回路の前記出力部への出力を遮断させ、電源がオンになってから前記センサが前記振り子部の往復運動を初めて感知したとき、前記Ｄ／Ａ変換回路の前記出力部への出力の遮断を解除させるノイズ除去部を更に有する
【０００６】
好適には、前記制御部は、時間を計測する計時タイマをさらに有し、前記計時タイマは任意のテンポ音の出力からの時間を測定し、当該時間が所定の時間以上になった場合に、前記ノイズ除去部は、前記制御部の制御の下、前記Ｄ／Ａ変換回路の前記出力部への出力を再び遮断させる。
【発明の効果】
【０００７】
本発明によれば、ノイズの発生を防止できる電子式メトロノームを提供することができる。
【発明を実施するための最良の形態】
【０００８】
以下、本発明の実施形態について説明する。
図１は、本実施形態の電子式メトロノーム１００のブロック図である。
図１に示すように、電子式メトロノーム１００は、フォトセンサ１、振り子部２、拍子切り替え部３、音色切り替え部４、電源スイッチ部５、制御部６、波形メモリ７１〜７４、ミキシング部８、Ｄ／Ａ変換回路９、ノイズ除去部１０及び出力部１１を有する。
【０００９】
フォトセンサ１は、図２に示すように、振り子部２の有する反射板２２が往復運動しそれぞれの前をよぎることによって光が反射したことを検出し、これによって振り子部２の往復運動に同期したセンサ出力を得るために、フォトセンサ右１Ｒとフォトセンサ左１Ｌとを有する。
振り子部２は、図２に示すように調速錘２１及び反射板２２を有し、図２に示すＺ点を支点として左右に往復運動を行う。往復運動の動力は、例えば振り子部２に取り付けた永久磁石による反発や、電池によるモータの回転等があるが、本実施形態では限定しない。また、調速錘２１を振り子部２上で上下させることにより、後述する出力部１１が再生し出力する音のテンポを変化させることができる。
【００１０】
拍子切り替え部３は、再生する音の拍子を選択し、決定する。拍子切り替え部３で選択できる拍子は、本実施形態では、例えば、０拍子、２拍子、３拍子、４拍子、５拍子、６拍子の６種類であるとする。
０拍子は、テンポ音のみを再生する設定である。
２拍子は、２回のテンポ音再生ごとに１回の拍子音を再生する設定である。
３拍子は、３回のテンポ音再生ごとに１回の拍子音を再生する設定である。
４拍子は、４回のテンポ音再生ごとに１回の拍子音を再生する設定である。
５拍子は、５回のテンポ音再生ごとに１回の拍子音を再生する設定である。
６拍子は、６回のテンポ音再生ごとに１回の拍子音を再生する設定である。
【００１１】
また、拍子切り替え部３は拍子をカウントする。カウントする方法については後の動作例で説明する。
【００１２】
音色切り替え部４は、再生する音の音色を選択し、決定する。本実施形態では、例えば、音色Ａと音色Ｂの２種類の音色を選択できるとする。
電源スイッチ部５は、電子式メトロノーム１００の電源のＯＮ／ＯＦＦを行うスイッチ部である。
制御部６は、電子式メトロノーム１００の統括的な制御を行う。また、制御部６は計時タイマ６１をさらに有する。計時タイマ６１は、フォトセンサ１の入力からの時間を計測する。
【００１３】
波形メモリ７１〜７４は、それぞれ１音の波形ずつ記憶している。本実施形態では、１つの音色につき２種類の音（チャイム音及びクリック音）があり、音色Ａ及び音色Ｂが記憶されている場合について説明する。すなわち、波形メモリ７１には、チャイム音Ａ、波形メモリ７２には、クリック音Ａ、波形メモリ７３にはチャイム音Ｂ、波形メモリ７４にはクリック音Ｂが記憶されているとする。
なお、本実施形態では、上述した拍子音にチャイム音を、テンポ音にクリック音を使用するとする。
【００１４】
ミキシング部８は、制御部６の制御に従って、音色Ａ或いは音色Ｂのチャイム音とクリック音とをミックスする。すなわち、波形メモリ７１〜７４から各音の波形を読み出し、制御部６の制御に従って、チャイム音Ａとクリック音Ａの波形、或いはチャイム音Ｂとクリック音Ｂの波形を読み出し、ミックスする。
Ｄ／Ａ変換回路９は、ミキシング部８がミックスしたデジタル波形信号をアナログ信号に変換する。
【００１５】
ノイズ除去部１０は、電源スイッチ部５によって電子式メトロノーム１００の電源がＯＮされたときに生じるノイズを除去する。
ノイズ除去部１０は、例えば図３に示すような回路構成を有する。
図３に示すように、ノイズ除去部１０は、コンデンサＣ１、抵抗Ｒ１〜Ｒ３、ボリュームｖｏｌｕｍｅを有する。また、以下では電源電位をＶＤＤ、接地電位をＧＮＤと記述する。
Ｄ／Ａ変換回路９は、コンデンサＣ１を介してノイズ除去部１０にＡＣ結合される。更に、ノードＡは音量調整用の抵抗Ｒ３及びｖｏｌｕｍｅを経由し出力部１１に入力される。ここで、コンデンサＣ１と抵抗Ｒ３との間に入力制御用のトランジスタＴＲ１が接続されている。また、トランジスタＴＲ１のベースは、抵抗を介して制御部６および電源電位ＶＤＤと接続されている。
以下、電子式メトロノーム１００の電源がＯＮされた時点でのノイズ除去部１０の動作について説明する。
【００１６】
電子式メトロノーム１００の電源がＯＮされてから、制御部６が動作を開始する（制御部６から制御出力信号ＰＯ１が出力される）までの間は、プルアップ抵抗Ｒ１によってトランジスタＴＲ１はＯＮになってノードＡはローレベルとなり、従ってＤ／Ａ変換回路９からのアナログ出力ＡＩＮは出力部１１から遮断される。更に、電源ＯＮ後制御部６が動作を開始した際には、制御部６からの制御出力ＰＯ１はハイレベルに設定され、このためトランジスタＴＲ１はＯＮのままであり、従ってノードＡもローレベルのままであるため、アナログ出力ＡＩＮは出力部１１から遮断されたままである。なお、この時点（電子式メトロノーム１００の電源ＯＮ時）ではＤ／Ａ変換回路９の出力は初期値の０Ｖに設定されているとする。
【００１７】
フォトセンサ１に最初の入力があったとき、制御部６は制御出力信号ＰＯ１をローレベルにし、トランジスタＴＲ１をＯＦＦにする。従ってＤ／Ａ変換回路９から出力されたアナログ信号ＡＩＮは抵抗Ｒ３及びボリュームｖｏｌｕｍｅを介して出力部１１に入力される。
その後、一定時間以上、例えば、テンポ周期よりも長い時間フォトセンサ１に入力がない場合、制御部６は制御出力信号ＰＯ１をハイレベルにし、トランジスタＴＲ１をオンにしてノードＡを接地電位ＧＮＤにショートさせ、アナログ出力信号ＡＩＮを出力部１１から遮断する。
なお、ここではテンポ周期よりも長い時間入力がなかった場合について説明するが、本発明はこれには限定されない。例えば、特性のしきい値の時間より長い時間入力がなかった場合に制御部６は制御出力信号ＰＯ１をハイレベルにし、トランジスタＴＲ１をオンにしてノードＡを接地電位ＧＮＤにショートさせてアナログ出力信号ＡＩＮを出力部１１から遮断してもよい。
【００１８】
出力部１１は、ノイズ除去部１０を介して入力されたアナログ信号ＡＩＮを音として再生・出力する。
【００１９】
次に、本実施形態の電子式メトロノーム１００の動作例について説明する。
図４、図５及び図６は、電子式メトロノーム１００の動作例を説明するためのフローチャートである。
【００２０】
ステップＳＴ１：
電源スイッチ部５によって電子式メトロノーム１００の電源がＯＮされると、制御部６は、制御出力信号ＰＯ１をハイレベルにセットしてノイズ除去部１０に出力し、Ｄ／Ａ変換回路９の出力を０Ｖにセットする。また、計時タイマ６１をスタートさせる。
ステップＳＴ２:
拍子切り替え部３は、拍子設定を読み取り、制御部６に出力する。また、拍子切り替え部３は、拍子カウンタをセットする。すなわち、Ｘ拍子の設定であるときに拍子切り替え部は拍子カウンタを“Ｘ”にする。
【００２１】
ステップＳＴ３：
振り子部２が往復運動を開始して反射板２２がフォトセンサ１をよぎり、センサが入力を感知した場合はステップＳＴ３に進み、入力を感知しなかった場合はステップＳＴ６に進む。
ステップＳＴ４：
制御部６は、ステップＳＴ３においてセンサに入力があった場合、計時タイマ６１をリセットさせる。
【００２２】
ステップＳＴ５：
制御部６は、制御出力信号ＰＯ１をローレベルにセットし、Ｄ／Ａ変換回路９の出力をオフセット電圧ＶＤＤ／２までなだらかに変化させる。
ステップＳＴ６：
制御部６は、ステップＳＴ３においてセンサに入力がなかった場合、計時タイマ６１にカウントを続けさせる。
【００２３】
ステップＳＴ７：
制御部６は、計時タイマ６１のカウントが規定時間、すなわちテンポ周期の最大値以上になった場合ステップＳＴ１に戻り、テンポ周期の最大値以上になっていない場合ステップＳＴ３に戻る。
ステップＳＴ８：
ステップＳＴ２において入力を感知したセンサがフォトセンサ右１Ｒだった場合はステップＳＴ９に、フォトセンサ左１Ｌだった場合はステップＳＴ１０に進む。
【００２４】
ステップＳＴ９：
フォトセンサ右１Ｒは、振り子部２の振れた方向を示す左右フラグを“０”にする。左右フラグ“０”は振り子部２が右側に振れたことを意味する。
ステップＳＴ１０：
フォトセンサ左１Ｌは、振り子部２の振れた方向を示す左右フラグを“１”にする。左右フラグ“１”は振り子部２が左側に振れたことを意味する。
ステップＳＴ１１：
拍子切り替え部３の拍子設定が０拍子以外であった場合はステップＳＴ１２に進み、０拍子であった場合はステップＳＴ２０に進む。
【００２５】
ステップＳＴ１２：
拍子切り替え部３は、現在の拍子カウンタから−１する。これにより、１拍分の音が再生されたことになる。
ステップＳＴ１３：
音色切り替え部４の音色設定が音色Ａであった場合はステップＳＴ１４に、音色Ｂであった場合はステップＳＴ１７に進む。
【００２６】
ステップＳＴ１４:
制御部６は、波形メモリ７１からチャイム音Ａの波形を、波形メモリ７２からクリック音Ａの波形を読み出す。
ステップＳＴ１５：
ミキシング部８は、ステップＳＴ１４において読み出されたチャイム音Ａの波形と、クリック音Ａの波形をミックスする。
【００２７】
ステップＳＴ１６：
出力部１１は、ステップＳＴ１５においてミキシング部８がミックスした波形を音として再生し出力する。
ステップＳＴ１７：
制御部６は、波形メモリ７３からチャイム音Ｂの波形を、波形メモリ７４からクリック音Ｂの波形を読み出す。
【００２８】
ステップＳＴ１８：
ミキシング部８は、ステップＳＴ１７において読み出されたチャイム音Ｂの波形と、クリック音Ｂの波形をミックスする。
ステップＳＴ１９：
出力部１１は、ステップＳＴ１８においてミキシング部８がミックスした波形を音として再生し出力する。
【００２９】
ステップＳＴ２０：
音色切り替え部４の音色設定が音色Ａであった場合はステップＳＴ２１に、音色Ｂであった場合はステップＳＴ２３に進む。
ステップＳＴ２１：
制御部６は、波形メモリ７２からクリック音Ａの波形を読み出す。
【００３０】
ステップＳＴ２２：
出力部１１は、ステップＳＴ２１において制御部６が読み出したクリック音Ａを再生し出力する。
ステップＳＴ２３：
制御部６は、波形メモリ７４からクリック音Ｂの波形を読み出す。
【００３１】
ステップＳＴ２４：
出力部１１は、ステップＳＴ２３において制御部６が読み出したクリック音Ｂを再生し出力する。
ステップＳＴ３０：
拍子切り替え部３において拍子設定の切り替えがあった場合はステップＳＴ２に戻り、無かった場合はステップＳＴ３１に進む。
【００３２】
ステップＳＴ３１：
制御部６は、左右フラグが“１”、すなわち振り子部２が直前に振れたのが左であった場合にはステップＳＴ３２に進み、左右フラグが“０”であった場合にはステップＳＴ３５に進む。
ステップＳＴ３２：
フォトセンサ右１Ｒは、入力があった場合はステップＳＴ３３に進み、無かった場合はステップＳＴ６０に進む。
【００３３】
ステップＳＴ３３：
制御部６は、計時タイマ６１をリセットする。
ステップＳＴ３４：
フォトセンサ右１Ｒは、振り子部２の振れた方向を示す左右フラグを“０”にする。左右フラグ“０”は振り子部２が右側に振れたことを意味する。
【００３４】
ステップＳＴ３５：
フォトセンサ左１Ｌは、入力があった場合はステップＳＴ３６に進み、無かった場合はステップＳＴ６０に進む。
ステップＳＴ３６：
制御部６は、計時タイマ６１をリセットする。
【００３５】
ステップＳＴ３７：
フォトセンサ左１Ｌは、振り子部２の振れた方向を示す左右フラグを“１”にする。左右フラグ“１”は振り子部２が左側に振れたことを意味する。
ステップＳＴ３８：
拍子切り替え部３の拍子設定が０拍子以外であった場合はステップＳＴ３９に進み、０拍子であった場合はステップＳＴ４９に進む。
ステップＳＴ３９：
拍子切り替え部３は、現在の拍子カウンタから−１する。
【００３６】
ステップＳＴ４０：
拍子切り替え部３は、拍子カウンタが０であるか否かを判断し、０であった場合はステップＳＴ４１に進み、０で無かった場合はステップＳＴ４９に進む。
ステップＳＴ４１：
拍子切り替え部３は、新たにカウンタをセットする。すなわち、カウンタを“Ｘ”に戻す。
【００３７】
ステップＳＴ４２：
音色切り替え部４の音色設定が音色Ａであった場合はステップＳＴ４３に、音色Ｂであった場合はステップＳＴ４６に進む。
ステップＳＴ４３:
制御部６は、波形メモリ７１からチャイム音Ａの波形を、波形メモリ７２からクリック音Ａの波形を読み出す。
【００３８】
ステップＳＴ４４：
ミキシング部８は、ステップＳＴ４３において読み出されたチャイム音Ａの波形と、クリック音Ａの波形をミックスする。
ステップＳＴ４５：
出力部１１は、ステップＳＴ４４においてミキシング部８がミックスした波形を音として再生し出力する。
【００３９】
ステップＳＴ４６：
制御部６は、波形メモリ７３からチャイム音Ｂの波形を、波形メモリ７４からクリック音Ｂの波形を読み出す。
ステップＳＴ４７：
ミキシング部８は、ステップＳＴ４６において読み出されたチャイム音Ｂの波形と、クリック音Ｂの波形をミックスする。
【００４０】
ステップＳＴ４８：
出力部１１は、ステップＳＴ４７においてミキシング部８がミックスした波形を音として再生し出力する。
ステップＳＴ４９：
音色切り替え部４の音色設定が音色Ａであった場合はステップＳＴ５０に、音色Ｂであった場合はステップＳＴ５２に進む。
【００４１】
ステップＳＴ５０：
制御部６は、波形メモリ７２からクリック音Ａの波形を読み出す。
ステップＳＴ５１：
出力部１１は、ステップＳＴ５０において制御部６が読み出したクリック音Ａを再生し出力する。
【００４２】
ステップＳＴ５２：
制御部６は、波形メモリ７４からクリック音Ｂの波形を読み出す。
ステップＳＴ５３：
出力部１１は、ステップＳＴ５２において制御部６が読み出したクリック音Ｂを再生し出力する。
【００４３】
ステップＳＴ６０：
制御部６は、計時タイマ６１をカウントさせる。
ステップＳＴ６１：
制御部６は、計時タイマ６１のカウントが規定時間、すなわちテンポ周期の最大値以上になった場合ステップＳＴ１に戻り、テンポ周期の最大値以上になっていない場合ステップＳＴ３０に戻る。
【００４４】
図７に、本実施形態の電子式メトロノームのタイミングチャートの一例として、拍子切り替え部３の設定を３拍子とした場合のタイミングチャートを示す。
図７に示すように、本実施形態の電子式メトロノーム１００の動作例においては、電源スイッチ部５によって電源ＯＮされてから、制御部６が動作開始するまでは、ノイズ除去部１０のトランジスタＴＲ１がＯＮになるため、ノードＡが接地電位ＧＮＤにショートされる。更に制御部６動作開始後、フォトセンサ１が入力を感知するまでは、制御部６は制御出力ＰＯ１をハイレベルで出力するのでトランジスタＴＲ１はＯＮのままであり、ノードＡは接地電位ＧＮＤにショートされたままである。電源ＯＮ時には制御部６はＤ／Ａ変換回路９の出力を初期値の０Ｖにセットしており、すなわち、本実施形態の電子式メトロノーム１００では、電源ＯＮ時に制御部６が動作を開始する以前の過渡的なＤ／Ａ変換回路９の出力信号によるノイズの発生を防止することができる。
【００４５】
更に、図７に示すように、本実施形態の電子式メトロノーム１００の動作例においては、フォトセンサ１に最初に入力があったとき、制御部６は制御出力信号ＰＯ１をローレベルとしてトランジスタＴＲ１をＯＦＦにさせ、またＤ／Ａ変換回路の出力電圧を初期値の０Ｖからオフセット電圧ＶＤＤ／２までなだらかに変化させるので、センサ入力に応じて、拍子音乃至テンポ音の波形信号を波形メモリ７１〜７４から読み出して出力部１１に再生・出力させることができる。
【００４６】
更に、図７に示すように、本実施形態の電子式メトロノーム１００の動作例においては、制御部６が計時タイマ６１によって時刻をカウントさせ、テンポ周期の最大値以上の間センサ入力がない場合は、制御部６は制御出力信号ＰＯ１をハイレベルとしてノイズ除去部１０のトランジスタＴＲ１をＯＮにしノードＡを接地電位ＧＮＤとショートさせ、Ｄ／Ａ変換出力をなだらかにオフセット電圧ＶＤＤ／２から０Ｖまで変化させるので、このときに電源スイッチ部５によって電子式メトロノーム１００の電源をＯＦＦにしたとしても、過渡的なＤ／Ａ変換回路の出力信号によるノイズの発生を抑えることができる。
【００４７】
以上説明したように、本実施形態の電子式メトロノーム１００によれば、電源スイッチ部５によって電源ＯＮされてから、制御部６が動作開始するまでは、ノイズ除去部１０のトランジスタＴＲ１がＯＮになるため、ノードＡが接地電位ＧＮＤにショートされ、更に制御部６動作開始後、フォトセンサ１が入力を感知するまでは、制御部６は制御出力ＰＯ１をハイレベルで出力するのでトランジスタＴＲ１はＯＮのままであり、ノードＡは接地電位ＧＮＤにショートされたままであり、電源ＯＮ時には制御部６はＤ／Ａ変換回路９の出力を初期値の０Ｖにセットするので、電源ＯＮ時に制御部６が動作を開始する以前の過渡的なＤ／Ａ変換回路９の出力信号によるノイズの発生を防止することができる。
【００４８】
また、本実施形態の電子式メトロノーム１００によれば、フォトセンサ１に最初に入力があったとき、制御部６は制御出力信号ＰＯ１をローレベルとしてトランジスタＴＲ１をＯＦＦにさせ、またＤ／Ａ変換回路の出力電圧を初期値の０Ｖからオフセット電圧ＶＤＤ／２までなだらかに変化させ、センサ入力に応じて、拍子音乃至テンポ音の波形信号を波形メモリ７１〜７４から読み出して出力部１１に再生・出力させることができる。
【００４９】
また、本実施形態の電子式メトロノーム１００によれば、制御部６が計時タイマ６１によって時刻をカウントさせ、テンポ周期の最大値以上の間センサ入力がない場合は、制御部６は制御出力信号ＰＯ１をハイレベルとしてノイズ除去部１０のトランジスタＴＲ１をＯＮにしノードＡを接地電位ＧＮＤとショートさせ、Ｄ／Ａ変換出力をなだらかにオフセット電圧ＶＤＤ／２から０Ｖまで変化させるので、振り子部２を何らかの方法であとに電源スイッチ部５によって電源をＯＦＦにした場合にも、ノイズの発生を防ぐことができる。
【００５０】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００５１】
本実施形態の電子式メトロノーム１００においては、ノイズ除去部１０は図３に示すような回路構成をしていたが、これは一例であり、本発明はこれに限定されない。等価な他の回路構成のノイズ除去部１０によっても本発明は実現可能である。
【００５２】
本実施形態の電子式メトロノーム１００は、２種類の音色を有し、またそれぞれの音色についてチャイム音及びクリック音を有していたが、本発明はこれには限定されない。すなわち、例えば、波形メモリ７１にチャイム音の波形が、波形メモリ７２にクリック音の波形が予め記憶され、波形メモリ７３及び７４には、ユーザが自由な音色の波形を記憶させられるようにしてもよい。この場合、図示しないマイク等からユーザの好きな音色を録音すれば、上記実施形態のチャイム音及びクリック音の代わりにユーザの好きな音色を再生・出力させることができる。これによって、チャイム音及びクリック音以外の音を利用したいユーザに好きな音色でテンポを知らせることができる。
本実施形態の図４及び図５で説明した動作例における左右の検出方法（左右フラグ）や拍子のカウント方法（拍子カウンタ）は一例であり、本発明はこれには限定されない。
【図面の簡単な説明】
【００５３】
【図１】図１は、本実施形態の電子式メトロノーム１００のブロック図である。
【図２】図２は、フォトセンサ１と振り子部２の構成例を示す図である。
【図３】図３は、ノイズ除去部１０の構成例を示す図である。
【図４】図４は、電子式メトロノーム１００の動作例を説明するためのフローチャートである。
【図５】図５は、電子式メトロノーム１００の動作例を説明するためのフローチャートである。
【図６】図６は、電子式メトロノーム１００の動作例を説明するためのフローチャートである。
【図７】図７は、３拍子の場合の各信号のタイミングチャートを示す図である。
【符号の説明】
【００５４】
１００…電子式メトロノーム、１…フォトセンサ、２…振り子部、２１…調速錘、２２…反射板、３…拍子切り替え部、４…音色切り替え部、５…電源スイッチ部、６…制御部、６１…計時タイマ、７１，７２，７３，７４…波形メモリ、８…ミキシング部、９…Ｄ／Ａ変換回路、１０…ノイズ除去部、１１…出力部、ＡＩＮ…アナログ信号、ＰＯ１…制御出力信号、Ｒ１，Ｒ２，Ｒ３…抵抗
【図１】
0004707573.tif 000002
【図２】
0004707573.tif 000003
【図３】
0004707573.tif 000004
【図４】
0004707573.tif 000005
【図５】
0004707573.tif 000006
【図６】
0004707573.tif 000007
【図７】
0004707573.tif 000008